(57)【要約】【課題】蒸発器の温度ムラを抑制して良好な作動を確保可能な車両用冷暖房装置を提供する。【解決手段】車両用冷暖房装置１は、冷媒を圧縮して吐出する圧縮機２と、車室外に配置され、冷房運転時に冷媒を放熱させる室外凝縮器として機能する一方、暖房運転時には冷媒を蒸発させる室外蒸発器として機能する室外熱交換器５と、車室内に配置されて冷媒を蒸発させる蒸発器７と、室外熱交換器５が室外蒸発器として機能するときに下流側となる位置に設けられ、その室外熱交換器５の出口側に過熱度が発生している場合に、その過熱度が第１の設定過熱度となるよう冷媒の流量を調整する過熱度制御弁５４と、蒸発器７の下流側となる位置に設けられ、その蒸発器７の出口側に過熱度が発生している場合に、その過熱度が第２の設定過熱度となるよう冷媒の流量を調整する過熱度制御弁４８と、を備える。【選択図】図１
2012030603.tif 000002
【特許請求の範囲】
【請求項１】
冷媒を圧縮して吐出する圧縮機と、
車室外に配置され、冷房運転時に冷媒を放熱させる室外凝縮器として機能する一方、暖房運転時には冷媒を蒸発させる室外蒸発器として機能する室外熱交換器と、
車室内に配置されて冷媒を蒸発させる室内蒸発器と、
前記室外熱交換器が室外蒸発器として機能するときに下流側となる位置に設けられ、その室外熱交換器の出口側に過熱度が発生している場合に、その過熱度が第１の設定過熱度となるよう冷媒の流量を調整する第１過熱度制御弁と、
前記室内蒸発器の下流側となる位置に設けられ、その室内蒸発器の出口側に過熱度が発生している場合に、その過熱度が第２の設定過熱度となるよう冷媒の流量を調整する第２過熱度制御弁と、
を備えることを特徴とする車両用冷暖房装置。
【請求項２】
前記第１過熱度制御弁を通過した冷媒と前記第２過熱度制御弁を通過した冷媒とを気液分離して溜めおき、その気相部の冷媒を前記圧縮機に向けて導出するアキュムレータをさらに備えることを特徴とする請求項１に記載の車両用冷暖房装置。
【請求項３】
前記室外熱交換器とは別に冷媒を放熱させる補助凝縮器と、
前記圧縮機から吐出された冷媒が前記補助凝縮器、室外熱交換器、前記室内蒸発器、前記アキュムレータを順次経由して前記圧縮機に戻るように循環可能な第１冷媒循環通路と、
前記圧縮機から吐出された冷媒が前記補助凝縮器、前記室外熱交換器、前記アキュムレータを順次経由して前記圧縮機に戻るように循環可能な第２冷媒循環通路と、
前記圧縮機から吐出された冷媒が前記補助凝縮器、前記室内蒸発器、前記アキュムレータを順次経由して前記圧縮機に戻るように循環可能な第３冷媒循環通路と、
を備え、
前記第１過熱度制御弁は、前記第２冷媒循環通路における前記室外熱交換器と前記アキュムレータとの間に設けられ、
前記第２過熱度制御弁は、前記第３冷媒循環通路における前記室内蒸発器と前記アキュムレータとの間に設けられていることを特徴とする請求項２に記載の車両用冷暖房装置。
【請求項４】
前記第３冷媒循環通路が、前記室外熱交換器を迂回するバイパス通路を含み、
前記バイパス通路を開閉する開閉弁がさらに設けられていることを特徴とする請求項３に記載の車両用冷暖房装置。
【請求項５】
前記室外熱交換器が室外蒸発器として機能するときに上流側となる位置に設けられ、上流側から導入された冷媒を膨張させて前記室外熱交換器に導出可能な第１の膨張装置と、
前記室内蒸発器の上流側となる位置に設けられ、上流側から導入された冷媒を膨張させて前記室内蒸発器に導出可能な第２の膨張装置と、
をさらに備え、
前記第１の膨張装置および前記第２の膨張装置の一方が、前記圧縮機から前記室外熱交換器および前記室内蒸発器へ流れる冷媒の流量の割合を調整可能な電動の制御弁からなり、
前記第１の膨張装置および前記第２の膨張装置の他方が、その上流側に位置する凝縮器の出口側の過冷却度が設定値となるよう冷媒の流量を調整する過冷却度制御弁として構成されていることを特徴とする請求項３または４に記載の車両用冷暖房装置。
【請求項６】
前記補助凝縮器の下流側に設けられ、上流側から導入された冷媒を膨張させて下流側に導出する膨張装置と、
前記膨張装置の下流側に設けられ、前記第２冷媒循環通路を介して前記室内蒸発器へ供給される冷媒の流量を調整する第１の弁と、
前記膨張装置の下流側に設けられ、前記第３冷媒循環通路を介して前記室外熱交換器へ供給される冷媒の流量を調整する第２の弁と、
を備え、
前記膨張装置は、前記補助凝縮器の出口側の過冷却度が設定値となるよう冷媒の流量を調整する過冷却度制御弁として構成されていることを特徴とする請求項３または４に記載の車両用冷暖房装置。
【発明の詳細な説明】
【技術分野】
【０００１】
本発明は、車室内を除湿暖房可能なヒートポンプ式の車両用冷暖房装置に関する。
【背景技術】
【０００２】
近年、内燃機関を搭載した車両においてはエンジンの燃焼効率が向上したこともあり、熱源として利用してきた冷却水が暖房に必要な温度にまで上昇し難くなっている。一方、内燃機関と電動機を併用したハイブリッド車両においては内燃機関の稼働率が低いため、そのような冷却水の利用がさらに難しい。電気自動車に至っては内燃機関による熱源そのものがない。このため、冷房のみならず暖房にも冷媒を用いたサイクル運転を行い、車室内を除湿暖房可能なヒートポンプ式の車両用冷暖房装置が提案されている（例えば特許文献１参照）。
【０００３】
このような車両用冷暖房装置は、圧縮機、室外熱交換器、蒸発器、室内熱交換器等を含む冷凍サイクルを有し、暖房運転時と冷房運転時とで室外熱交換器の機能が切り替えられる。暖房運転時においては室外熱交換器が蒸発器として機能する。その際、冷凍サイクルを冷媒が循環する過程で室内熱交換器が放熱し、その熱により車室内の空気が加熱される。一方、冷房運転時においては室外熱交換器が凝縮器として機能する。その際、室外熱交換器にて凝縮された冷媒が蒸発器にて蒸発し、その蒸発潜熱により車室内の空気が冷却される。その際、除湿も行われる。
【先行技術文献】
【特許文献】
【０００４】
【特許文献１】特開平９−２４０２６６号公報
【発明の概要】
【発明が解決しようとする課題】
【０００５】
しかしながら、このような車両用冷暖房装置において、蒸発器に十分な冷媒が供給されず、その出口側の過熱度（スパーヒート）が過大となるようなことがあると、その蒸発器に温度ムラが生じてしまう。車両用冷暖房装置の冷媒循環回路には一般に潤滑用のオイルが循環されるが、このような蒸発器の温度ムラが生じてしまうと、その蒸発器にオイルが滞留してしまうことも想定される。そうなると、圧縮機にも十分なオイルが供給されなくなり、その作動に支障をきたす可能性もある。
【０００６】
本発明の目的の一つは、蒸発器の温度ムラを抑制して良好な作動を確保可能な車両用冷暖房装置を提供することにある。
【課題を解決するための手段】
【０００７】
上記課題を解決するために、本発明のある態様の車両用冷暖房装置は、冷媒を圧縮して吐出する圧縮機と、車室外に配置され、冷房運転時に冷媒を放熱させる室外凝縮器として機能する一方、暖房運転時には冷媒を蒸発させる室外蒸発器として機能する室外熱交換器と、車室内に配置されて冷媒を蒸発させる室内蒸発器と、室外熱交換器が室外蒸発器として機能するときに下流側となる位置に設けられ、その室外熱交換器の出口側に過熱度が発生している場合に、その過熱度が第１の設定過熱度となるよう冷媒の流量を調整する第１過熱度制御弁と、室内蒸発器の下流側となる位置に設けられ、その室内蒸発器の出口側に過熱度が発生している場合に、その過熱度が第２の設定過熱度となるよう冷媒の流量を調整する第２過熱度制御弁と、を備える。
【０００８】
ここで、第１過熱度制御弁は、その上流側の過熱度が第１の設定過熱度となるよう自律的に弁開度を調整するものであってよい。また、第２過熱度制御弁は、その上流側の過熱度が第２の設定過熱度となるよう自律的に弁開度を調整するものであってよい。「第１の設定過熱度」と「第２の設定過熱度」とは同じ値に設定されてもよいし、異なる値に設定されてもよい。
【０００９】
この態様によると、室外熱交換器（室外蒸発器）の出口側に過熱度が発生したときにはその過熱度が設定値に維持され、室内蒸発器の出口側に過熱度が発生したときにもその過熱度が設定値に維持される。このため、各蒸発器の出口側の過熱度を適正に制御することができ、各蒸発器内の温度ムラを低減することが可能となる。その結果、冷媒循環回路を流れるオイルの循環も良好に維持できるようになる。
【発明の効果】
【００１０】
本発明によれば、蒸発器の温度ムラを抑制して良好な作動を確保可能な車両用冷暖房装置を提供することができる。
【図面の簡単な説明】
【００１１】
【図１】第１実施形態に係る車両用冷暖房装置の概略構成を表すシステム構成図である。
【図２】車両用冷暖房装置の動作を表す説明図である。
【図３】第２実施形態に係る車両用冷暖房装置の概略構成を表すシステム構成図である。
【図４】車両用冷暖房装置の動作を表す説明図である。
【図５】変形例に係る車両用冷暖房装置の概略構成を表すシステム構成図である。
【図６】変形例に係る車両用冷暖房装置の概略構成を表すシステム構成図である。
【発明を実施するための形態】
【００１２】
以下、本発明の実施形態を、図面を参照して詳細に説明する。  
［第１実施形態］
まず、本発明の第１実施形態について説明する。図１は、第１実施形態に係る車両用冷暖房装置の概略構成を表すシステム構成図である。本実施形態は、本発明の車両用冷暖房装置を電気自動車の冷暖房装置として具体化したものである。
【００１３】
車両用冷暖房装置１は、圧縮機２、室内凝縮器３、室外熱交換器５、蒸発器７およびアキュムレータ８を配管にて接続した冷凍サイクル（冷媒循環回路）を備える。車両用冷暖房装置１は、冷媒としての代替フロン（ＨＦＣ−１３４ａ）が冷凍サイクル内を状態変化しながら循環する過程で、その冷媒の熱を利用して車室内の空調を行うヒートポンプ式の冷暖房装置として構成されている。冷媒循環回路には、冷暖房を適切に制御するための各種制御弁が配設されている。
【００１４】
車両用冷暖房装置１は、冷房運転時と暖房運転時とで複数の冷媒循環通路を切り替えるように運転される。そして、この冷凍サイクルは、室内凝縮器３と室外熱交換器５とが凝縮器として直列に動作可能に構成され、また、蒸発器７と室外熱交換器５とが蒸発器として並列に動作可能に構成されている。すなわち、冷房運転時（除湿時）に冷媒が循環する第１冷媒循環通路、暖房運転時に冷媒が循環する第２冷媒循環通路、暖房運転中の除湿時に冷媒が循環する第３冷媒循環通路が形成される。
【００１５】
第１冷媒循環通路は、圧縮機２→室内凝縮器３→室外熱交換器５→蒸発器７→アキュムレータ８→圧縮機２のように冷媒が循環する通路である。第２冷媒循環通路は、圧縮機２→室内凝縮器３→室外熱交換器５→アキュムレータ８→圧縮機２のように冷媒が循環する通路である。第３冷媒循環通路は、圧縮機２→室内凝縮器３→蒸発器７→アキュムレータ８→圧縮機２のように冷媒が循環する通路である。室外熱交換器５を流れる冷媒の流れは、第１冷媒循環通路と第２冷媒循環通路とで同方向となっている。
【００１６】
具体的には、圧縮機２の吐出室は第１通路２１を介して室内凝縮器３の入口に接続され、室内凝縮器３の出口は第２通路２２を介して室外熱交換器５の入口に接続されている。室外熱交換器５の出口は第３通路２３を介して蒸発器７の入口に接続され、蒸発器７の出口は第４通路２４（戻り通路）を介してアキュムレータ８の入口に接続されている。第２通路２２と第３通路２３とはバイパス通路２５により接続され、室内凝縮器３から導出された冷媒の少なくとも一部を室外熱交換器５を迂回させて蒸発器７へ供給可能となっている。さらに、第３通路２３のバイパス通路２５との合流点よりも上流側に分岐点が設けられ、アキュムレータ８の入口につながるバイパス通路２６が設けられている。
【００１７】
第１冷媒循環通路は、第１通路２１，第２通路２２，第３通路２３，第４通路２４を接続して構成される。第２冷媒循環通路は、第１通路２１，第２通路２２，第３通路２３，バイパス通路２６を接続して構成される。第３冷媒循環通路は、第１通路２１，第２通路２２，バイパス通路２５，第３通路２３，第４通路２４を接続して構成される。そして、このような冷媒循環通路の切り替えを実現するために、第２通路２２には差圧弁３２および比例弁３４が設けられ、第３通路２３には過冷却度制御弁４２、差圧弁４４および逆止弁４６が設けられ、第４通路２４には過熱度制御弁４８が設けられている。また、バイパス通路２５には開閉弁５０が設けられ、バイパス通路２６には開閉弁５２および過熱度制御弁５４が設けられている。
【００１８】
車両用冷暖房装置１は、空気の熱交換が行われるダクト１０を有し、そのダクト１０における空気の流れ方向上流側から室内送風機１２、蒸発器７、室内凝縮器３が配設されている。室内凝縮器３の上流側には、エアミックスドア１４が回動自在に設けられ、室内凝縮器３を通過する風量と室内凝縮器３を迂回する風量との比率が調節される。また、室外熱交換器５に対向するように室外送風機１６が配置されている。
【００１９】
圧縮機２は、ハウジング内にモータと圧縮機構を収容する電動圧縮機として構成され、図示しないバッテリからの供給電流により駆動され、モータの回転数に応じて冷媒の吐出容量が変化する。この圧縮機２としては、レシプロ式、ロータリ式、スクロール式など、様々な形式の圧縮機を採用することができるが、電動圧縮機そのものは公知であるため、その説明については省略する。
【００２０】
室内凝縮器３は、車室内に設けられ、室外熱交換器５とは別に冷媒を放熱させる補助凝縮器として機能する。すなわち、圧縮機２から吐出された高温・高圧の冷媒が室内凝縮器３を通過する際に放熱する。エアミックスドア１４の開度に応じて振り分けられた空気は、室内凝縮器３を通過する過程でその熱交換が行われる。
【００２１】
室外熱交換器５は、車室外に配置され、冷房運転時に内部を通過する冷媒を放熱させる室外凝縮器として機能する一方、暖房運転時には内部を通過する冷媒を蒸発させる室外蒸発器として機能する。室外送風機１６は、吸い込み式の送風機であり、軸流ファンをモータにより回転駆動することにより外気を導入する。室外熱交換器５は、その外気と冷媒との間で熱交換をさせる。
【００２２】
蒸発器７は、車室内に配置され、内部を通過する冷媒を蒸発させる室内蒸発器として機能する。すなわち、膨張装置として機能する制御弁の通過により低温・低圧となった冷媒は、蒸発器７を通過する際に蒸発する。ダクト１０の上流側から導入された空気は、その蒸発潜熱によって冷却される。このとき冷却・除湿された空気は、エアミックスドア１４の開度に応じて室内凝縮器３を通過するものと、室内凝縮器３を迂回するものとに振り分けられる。室内凝縮器３を通過する空気は、その通過過程で加熱される。室内凝縮器３を通過した空気と迂回した空気とが室内凝縮器３の下流側にて混合されて目標の温度に調整され、図示しない吹出口から車内に供給される。例えば、ベント吹出口、フット吹出口、デフ吹出口等から車室内所定場所に向かって吹き出される。
【００２３】
アキュムレータ８は、蒸発器から送出された冷媒を気液分離して溜めておく装置であり、液相部と気相部とを有する。このため、仮に上流側から想定以上の液冷媒が導出されたとしても、その液冷媒を液相部に溜めおくことができ、気相部の冷媒を圧縮機２に導出することができる。その結果、圧縮機２の圧縮動作に支障をきたすこともない。一方、本実施形態では、その液相部の冷媒の一部を圧縮機２に供給できるようにされており、圧縮機２に必要量の潤滑オイルを戻すことができるようになっている。
【００２４】
差圧弁３２および比例弁３４は、第２通路２２におけるバイパス通路２５との分岐点よりも下流側に並列に設けられている。差圧弁３２は、その前後差圧（室内凝縮器３の出口側圧力と室外熱交換器５の入口側圧力との差圧）が供給電流値に応じた設定差圧となるよう自律的に動作する定差圧弁（電磁弁）である。本実施形態では、差圧弁３２の弁部を駆動するアクチュエータとしてソレノイドを用いるが、ステッピングモータ等の電動機を用いてもよい。差圧弁３２は冷房運転時に駆動されて差圧制御を実行し、室内凝縮器３における凝縮圧力を室外熱交換器５における凝縮圧力よりも設定差圧分高く維持し、それにより室内凝縮器３における冷媒温度が過度に低下するのを防止する。具体的には、ドライバの足元を適度に暖められる程度の凝縮圧力（温度）が得られるようにするものである。差圧弁３２は、膨張装置としても機能する。
【００２５】
比例弁３４は、差圧弁３２の前後を迂回するバイパス通路に設けられている。比例弁３４は、その開度が供給電流値に応じた設定開度に自律的に調整される電磁弁である。本実施形態では比例弁３４の弁部を駆動するアクチュエータとしてソレノイドを用いるが、ステッピングモータ等の電動機を用いてもよい。比例弁３４は、差圧弁３２よりも小さな流路断面（弁孔）を有し、膨張装置としても機能する。比例弁３４は暖房運転時に駆動されて開度制御を実行し、第２通路２２の開度を調整する。このとき、後述のように開閉弁５０が開弁状態とされてバイパス通路２５が開放されるため、比例弁３４の開度に応じて室外熱交換器５へ供給される冷媒の流量が調整される。すなわち、比例弁３４は、室内凝縮器３から室外熱交換器５へ向かう冷媒流量と、室外熱交換器５を迂回して蒸発器７に供給される冷媒流量（バイパス通路２５を流れる冷媒流量）との割合を調整するものである。
【００２６】
過冷却度制御弁４２は、室外熱交換器５から導出された冷媒や、バイパス通路２５を介して供給された冷媒を絞り膨張させて蒸発器７側に導出する「膨張装置」として機能する。過冷却度制御弁４２は、冷房運転時において室外熱交換器５の出口側の過冷却度が予め設定された一定の過冷却度（設定値ＳＣ）に近づくよう冷媒の流れを制御する。また、暖房運転時において室内凝縮器３の出口側の過冷却度が予め設定された一定の過冷却度（設定値ＳＣ）に近づくよう冷媒の流れを制御する。本実施形態では、過冷却度制御弁４２として、その上流側（冷房運転時においては室外熱交換器５の出口側であり、暖房運転時（除湿制御を行う特定暖房運転時）において室内凝縮器３の出口側）の冷媒の温度と圧力を感知して弁部を駆動する感温部を有する機械式の制御弁が用いられる。
【００２７】
過冷却度制御弁４２は、冷房運転時において室外熱交換器５の出口側の過冷却度が設定値ＳＣよりも大きくなると開弁方向に動作し、室外熱交換器５を流れる冷媒の流量を増加させる。このように冷媒の流量が増加すると、室外熱交換器５における冷媒の単位流量あたりの凝縮能力が小さくなるため、その過冷却度は小さくなる方向に変化する。逆に、室外熱交換器５の出口側の過冷却度が設定値ＳＣよりも小さくなると、過冷却度制御弁４２は閉弁方向に動作し、室外熱交換器５を流れる冷媒の流量を減少させる。このように冷媒の流量が減少すると、室外熱交換器５における冷媒の単位流量あたりの凝縮能力が大きくなるため、その過冷却度は大きくなる方向に変化する。過冷却度制御弁４２は、その入口（室外熱交換器５の出口側）の過冷却度が設定値ＳＣとなるよう自律的に動作する。
【００２８】
過冷却度制御弁４２は、また、特定暖房運転時においてバイパス通路２５が開放されると、室内凝縮器３の出口側の過冷却度が設定値ＳＣよりも大きくなると開弁方向に動作し、室内凝縮器３を流れる冷媒の流量を増加させる。このように冷媒の流量が増加すると、室内凝縮器３における冷媒の単位流量あたりの凝縮能力が小さくなるため、その過冷却度は小さくなる方向に変化する。逆に、室内凝縮器３の出口側の過冷却度が設定値ＳＣよりも小さくなると、過冷却度制御弁４２は閉弁方向に動作し、室内凝縮器３を流れる冷媒の流量を減少させる。このように冷媒の流量が減少すると、室内凝縮器３における冷媒の単位流量あたりの凝縮能力が大きくなるため、その過冷却度は大きくなる方向に変化する。過冷却度制御弁４２は、その入口（室内凝縮器３の出口側）の過冷却度が設定値ＳＣとなるよう自律的に動作する。
【００２９】
なお、図示を省略するが、過冷却度制御弁４２は、上流側から冷媒を導入する入口ポートと、下流側へ冷媒を導出する出口ポートと、その入口ポートと出口ポートとを連通する弁孔とが設けられたボディと、弁孔に接離して弁開度を調整する弁体と、入口ポートから導入された冷媒の温度と圧力を感知し、室外熱交換器５の出口側の過冷却度が設定値となるよう弁体を開閉駆動する感温部とを備えるものでもよい。
【００３０】
差圧弁４４は、過冷却度制御弁４２の下流側に設けられている。差圧弁４４は、第３通路２３において過冷却度制御弁４２側への冷媒の逆流を防止する機械式の弁として構成され、その前後差圧が設定された開弁差圧以上となったときに開弁する。
【００３１】
逆止弁４６は、第３通路２３におけるバイパス通路２６との分岐点とバイパス通路２５との合流点との間に設けられている。逆止弁４６は、バイパス通路２５を通過した冷媒が室外熱交換器５側へ逆流することを防止する機械式の弁として構成されている。
【００３２】
過熱度制御弁４８は、蒸発器７の蒸発圧力を調整する「蒸発圧力調整弁」として機能し、蒸発器７の出口側に過熱度（スーパーヒート）が発生している場合、その過熱度が予め設定された一定の過熱度（設定過熱度ＳＨ）に近づくよう冷媒の流れを制御する。本実施形態では、過熱度制御弁４８として、蒸発器７の出口側の冷媒の温度と圧力を感知して弁部を駆動する感温部を有する機械式の制御弁が用いられる。過熱度制御弁４８は、感知した過熱度が設定過熱度ＳＨよりも大きければ弁開度を絞り、蒸発器７の蒸発圧力を上昇させることにより、蒸発器７を通過する冷媒と外部の空気との熱交換量を小さくし、それにより過熱度を小さくして設定過熱度ＳＨに近づける。逆に、感知された過熱度が設定過熱度ＳＨよりも小さければ、過熱度制御弁４８は、弁開度を大きくし、蒸発器７の蒸発圧力を低下させることにより、蒸発器７を通過する冷媒と外部の空気との熱交換量を大きくし、それにより過熱度を大きくして設定過熱度ＳＨに近づける。このように、過熱度制御弁４８は、蒸発器７の出口側の過熱度が設定過熱度ＳＨに近づくよう自律的に動作する。
【００３３】
なお、図示を省略するが、過熱度制御弁４８は、例えば上流側から冷媒を導入する入口ポートと、下流側へ冷媒を導出する出口ポートと、その入口ポートと出口ポートとを連通する弁孔とが設けられたボディと、弁孔に接離して弁開度を調整する弁体を含む弁駆動体と、入口ポートと出口ポートとをつなぐ内部通路を流れる冷媒の温度と圧力を感知し、蒸発器７の出口側の冷媒の過熱度が設定過熱度となるよう弁体を開閉駆動する感温部とを備えるものでよい。
【００３４】
開閉弁５０は、バイパス通路２５を開閉する弁部と、その弁部を駆動するソレノイドとを備える二方向電磁弁からなる。開閉弁５０の開弁によりバイパス通路２５を介した蒸発器７への冷媒の流れが許容される。すなわち、開閉弁５０が開弁されることにより、室内凝縮器３から導出された冷媒の少なくとも一部が室外熱交換器５を迂回するようにして蒸発器７へ供給されるようになる。室外熱交換器５を経由する冷媒流量と室外熱交換器５を迂回する冷媒流量との割合は比例弁３４により制御される。本実施形態では、開閉弁５０として、ソレノイドへの通電有無によって弁部を開閉させる開閉弁（オン／オフ弁）が用いられる。なお、開閉弁５０の弁部を駆動するアクチュエータはソレノイドでなくてもよく、ステッピングモータ等の電動機であってもよい。
【００３５】
また、本実施形態では、開閉弁５０をバイパス通路２５の中間部に設けているが、例えば第２通路２２におけるバイパス通路２５への分岐点に三方向切替弁として配設してもよい。あるいは、その分岐点に比例弁３４と開閉弁５０の機能を併せ持つ三方向比例弁を設け、比例弁３４および開閉弁５０を省略してもよい。すなわち、分岐点の室外熱交換器５側の通路の開度を制御する第１比例弁と、分岐点のバイパス通路２５側の通路の開度を制御する第２比例弁とを含み、アクチュエータの駆動量に応じて冷媒の流量を振り分ける振分弁として機能するものでよい。その場合、三方向比例弁は、弁部を駆動するアクチュエータとしてソレノイドを備えるものであってもよいし、ステッピングモータ等の電動機を備えるものでもよい。
【００３６】
開閉弁５２は、バイパス通路２６における過熱度制御弁５４の上流側に設けられている。開閉弁５２は、バイパス通路２６を開閉する弁部と、その弁部を駆動するソレノイドとを備える二方向電磁弁からなる。開閉弁５２の開弁によりバイパス通路２６を介したアキュムレータ８への冷媒の流れが許容される。本実施形態では、開閉弁５２として、ソレノイドへの通電有無によって弁部を開閉させる開閉弁（オン／オフ弁）が用いられる。なお、開閉弁５２の弁部を駆動するアクチュエータはソレノイドでなくてもよく、ステッピングモータ等の電動機であってもよい。また、本実施形態では、開閉弁５２をバイパス通路２６の中間部に設けているが、例えば第３通路２３におけるバイパス通路２６への分岐点に三方向切替弁として配設してもよい。
【００３７】
過熱度制御弁５４は、室外熱交換器５が室外蒸発器として機能するときにその蒸発圧力を調整する「蒸発圧力調整弁」として機能する。過熱度制御弁５４は、室外熱交換器５の出口側の過熱度が発生している場合に、その過熱度が予め設定された一定の過熱度（設定過熱度ＳＨ）に近づくよう冷媒の流れを制御する。本実施形態では、過熱度制御弁５４として、室外熱交換器５の出口側の冷媒の温度と圧力を感知して弁部を駆動する感温部を有する機械式の制御弁が用いられる。過熱度制御弁５４は、感知した過熱度が設定過熱度ＳＨよりも大きければ弁開度を絞り、室外熱交換器５の蒸発圧力を上昇させることにより、室外熱交換器５を通過する冷媒と外部の空気との熱交換量を小さくし、それにより過熱度を小さくして設定過熱度ＳＨに近づける。逆に、感知された過熱度が設定過熱度ＳＨよりも小さければ、過熱度制御弁５４は、弁開度を大きくし、室外熱交換器５の蒸発圧力を低下させることにより、室外熱交換器５を通過する冷媒と外部の空気との熱交換量を大きくし、それにより過熱度を大きくして設定過熱度ＳＨに近づける。このように、過熱度制御弁５４は、室外熱交換器５の出口側の過熱度が設定過熱度ＳＨに近づくよう自律的に動作する。なお、本実施形態では、過熱度制御弁５４の設定過熱度と過熱度制御弁４８の設定過熱度とを等しく設定しているが、両者を異なるように設定してもよい。
【００３８】
なお、図示を省略するが、過熱度制御弁５４は、例えば上流側から冷媒を導入する入口ポートと、下流側へ冷媒を導出する出口ポートと、その入口ポートと出口ポートとを連通する弁孔とが設けられたボディと、弁孔に接離して弁開度を調整する弁体を含む弁駆動体と、入口ポートと出口ポートとをつなぐ内部通路を流れる冷媒の温度と圧力を感知し、室外熱交換器５の出口側の冷媒の過熱度が設定過熱度となるよう弁体を開閉駆動する感温部とを備えるものでよい。
【００３９】
以上のように構成された車両用冷暖房装置１は、制御部１００により制御される。制御部１００は、各種演算処理を実行するＣＰＵ、各種制御プログラムを格納するＲＯＭ、データ格納やプログラム実行のためのワークエリアとして利用されるＲＡＭ、入出力インターフェース等を備える。制御部１００には、車両用冷暖房装置１に設置された図示しない各種センサ・スイッチ類からの信号が入力される。制御部１００は、車両の乗員によりセットされた室温を実現するために各アクチュエータの制御量を演算し、各アクチュエータの駆動回路に制御信号を出力する。制御部１００は、差圧弁３２，比例弁３４，開閉弁５０，開閉弁５２などの開閉制御のほか、圧縮機２，室内送風機１２，室外送風機１６およびエアミックスドア１４の駆動制御も実行する。
【００４０】
制御部１００は、差圧弁３２や比例弁３４の駆動回路に設定したパルス信号を出力する駆動信号出力部を有する。具体的には、制御部１００にて演算され、設定されたデューティ比のパルス信号を出力するＰＷＭ出力部が設けられるが、その構成自体には公知のものが採用されるため、詳細な説明を省略する。制御部１００は、車室内外の温度、蒸発器７の吹き出し空気温度等、各種センサにて検出された所定の外部情報に基づいて差圧弁３２の設定差圧を決定し、差圧弁３２の前後差圧がその設定差圧となるよう各ソレノイドに電流を供給する。なお、変形例として差圧弁３２のアクチュエータをステッピングモータにより構成する場合には、その差圧が設定差圧となるようステッピングモータに制御パルス信号を出力する。制御部１００はまた、所定の外部情報に基づいて比例弁３４の設定開度を決定し、その開度がその設定開度となるようソレノイドに電流を供給する。なお、変形例として比例弁３４のアクチュエータをステッピングモータにより構成する場合には、その開度がその設定開度となるようステッピングモータに制御パルス信号を出力する。このような制御により、図示のように、圧縮機２は、その吸入室を介して吸入圧力Ｐｓの冷媒を導入し、これを圧縮して吐出圧力Ｐｄの冷媒として吐出する。
【００４１】
次に、本実施形態の冷凍サイクルの動作について説明する。図２は、車両用冷暖房装置の動作を表す説明図である。（Ａ）は冷房運転時の状態を示し、（Ｂ）は除湿運転時の状態を示し、（Ｃ）は特定暖房運転時の状態を示し、（Ｄ）は暖房運転時の状態を示している。ここでいう「除湿運転」は、車室内の除湿をメインとして運転状態であり、「特定暖房運転」は、暖房運転において特に除湿の機能を高めた運転状態である。
【００４２】
各図の上段には冷凍サイクルの動作を説明するモリエル線図が示されている。その横軸がエンタルピーを表し、縦軸が各種圧力を表している。各図の下段には、冷凍サイクルの動作状態が示されている。図中の太線および矢印が冷媒の流れを示し、符号ａ〜ｇはモリエル線図のそれと対応している。また、図中の「×」は冷媒の流れが遮断されていることを示している。なお、同図の下段は図１に対応するが、エアミックスドア１４等の図示を省略するなど便宜上簡略表記されている。
【００４３】
図２（Ａ）に示すように、冷房運転時においては、差圧弁３２は差圧制御を行わず全開状態とされ、比例弁３４も開弁状態とされる。なお、比例弁３４は差圧弁３２よりもその流路断面（弁孔）よりも相当小さいため、変形例においては、比例弁３４については閉弁状態としてもよい。一方、開閉弁５０，５２はともに閉弁状態を保つ。このため、バイパス通路２５，２６が遮断され、圧縮機２から吐出冷媒は全て室外熱交換器５に導かれるようになる。このとき、室外熱交換器５は室外凝縮器として機能する。すなわち、圧縮機２から吐出された冷媒は、室内凝縮器３、差圧弁３２、室外熱交換器５、過冷却度制御弁４２、蒸発器７、過熱度制御弁４８、アキュムレータ８を経由するように第１冷媒循環通路を循環して圧縮機２に戻る。
【００４４】
すなわち、圧縮機２から吐出された高温・高圧のガス冷媒は、室内凝縮器３および室外熱交換器５を経ることで凝縮される。そして、室外熱交換器５を経由した冷媒が過冷却度制御弁４２にて断熱膨張され、冷温・低圧の気液二相冷媒となって蒸発器７に導入される。このとき、過冷却度制御弁４２は、室外熱交換器５の出口側（ｅ点）の過冷却度が設定値ＳＣとなるように弁部の開度を自律的に調整する。蒸発器７の入口に導入された冷媒は、その蒸発器７を通過する過程で蒸発し、車室内の空気を冷却する。このとき、蒸発器７から導出された冷媒は、アキュムレータ８を経て圧縮機２に導入されるが、そのとき圧縮機２に潤滑オイルを戻すようになる。
【００４５】
図２（Ｂ）に示すように、除湿運転時においては、差圧弁３２が差圧制御を実行する。このため、差圧弁３２の前後差圧が設定差圧ΔＰとなるように制御され。その結果、室内凝縮器３の凝縮圧力（凝縮温度）が、室外熱交換器５の凝縮圧力（凝縮温度）よりも高く維持され、車室内の温度が必要以上に低下することが抑制される。具体的には、ドライバの足元の温度をある程度高く維持することができる。また、この場合も、過冷却度制御弁４２は、室外熱交換器５の出口側（ｅ点）の過冷却度が設定値ＳＣとなるように弁部の開度を自律的に調整する。
【００４６】
図２（Ｃ）に示すように、特定暖房運転時においては、差圧弁３２が閉弁される一方、比例弁３４、開閉弁５０，５２が開弁される。そして、比例弁３４の開度が調整されることで、蒸発器７および室外熱交換器５に向かう冷媒の流量が振り分けられる。このとき、室外熱交換器５は室外蒸発器として機能する。すなわち、圧縮機２から吐出された冷媒は、一方で室内凝縮器３、比例弁３４、室外熱交換器５、開閉弁５２、過熱度制御弁５４、アキュムレータ８を経由するように第２冷媒循環通路を循環して圧縮機２に戻り、他方で室内凝縮器３、開閉弁５０、過冷却度制御弁４２、蒸発器７、過熱度制御弁４８、アキュムレータ８を経由するように第３冷媒循環通路を循環して圧縮機２に戻る。
【００４７】
すなわち、圧縮機２から吐出された高温・高圧のガス冷媒は、室内凝縮器３を経て凝縮される。そして、一方で比例弁３４にて断熱膨張された冷温・低圧の気液二相冷媒が室外熱交換器５に供給されて蒸発し、他方で過冷却度制御弁４２にて断熱膨張された冷温・低圧の気液二相冷媒が蒸発器７に供給されて蒸発する。このとき、開閉弁５０は全開状態でる。室外熱交換器５および蒸発器７の両蒸発器にて蒸発される比率は、比例弁３４の開度により制御される。すなわち、比例弁３４の開度調整により室外熱交換器５へ供給される冷媒の流量が調整される。室内凝縮器３から導出された冷媒のうちバイパス通路２５へ振り分けられる冷媒の流量は、比例弁３４の開度に応じて変化する。一方、蒸発器７へ供給される冷媒流量は、過冷却度制御弁４２により室内凝縮器３の出口側の過冷却度が設定値ＳＣとなるように調整される。
【００４８】
この特定暖房運転においては除湿運転が良好に行われるが、その除湿制御の概要については以下のとおりである。すなわち、図２（Ｃ）に示すように、過冷却度制御弁４２により室内凝縮器３の出口における所定の過冷却度ＳＣが維持されることで（ｃ点）、室内凝縮器３における凝縮能力が適正に維持され、室外熱交換器５（室外蒸発器）および蒸発器７（室内蒸発器）のそれぞれにおいて効率の良い熱交換が行われる。このとき、アキュムレータ８によって圧縮機２の入口の冷媒の状態が常に飽和蒸気圧曲線上に保持されるため（ａ点）、蒸発器７の出口の冷媒の状態（ｇ点）は、室外熱交換器５の出口の冷媒の状態（ｅ点）とバランスするように変化する。
【００４９】
すなわち、図示のように室外熱交換器５の出口側にて過熱度が発生している場合、蒸発器７の出口における冷媒の湿り度（ｇ点）は、室外熱交換器５の出口における冷媒の過熱度（ｅ点）とバランスする。このとき、室外熱交換器５における外部からの熱吸収量は、過熱度制御弁５４の絞り量により調整される。すなわち、過熱度制御弁５４は、室外熱交換器５の出口側の過熱度が設定過熱度ＳＨよりも大きくなると、閉弁方向に動作して室外熱交換器５における蒸発圧力Ｐｏを上昇させる。その結果、室外熱交換器５の蒸発圧力Ｐｏと蒸発器７の蒸発圧力Ｐｅとの差圧Ｐoeが発生する。それにより、室外熱交換器５を通過する冷媒の温度が高くなり外気との熱交換量が少なくなるため、過熱度は小さくなる方向に変化する。逆に、その過熱度が設定過熱度ＳＨよりも小さくなると、開弁方向に動作して室外熱交換器５における蒸発圧力Ｐｏを低下させる。それにより、室外熱交換器５を通過する冷媒の温度が低くなり外気との熱交換量が多くなるため、過熱度は大きくなる方向に変化する。
【００５０】
このように、室外熱交換器５の出口側の過熱度が設定過熱度ＳＨとなるよう過熱度制御弁５４が自律的に動作するため、室外熱交換器５の出口側の過熱度が過大になるのが防止される。それにより、室外熱交換器５の温度ムラを抑制することができ、室外熱交換器５に潤滑オイルが滞留することを防止または抑制することができる。また、外気温によっては逆に、蒸発器７の出口側にて過熱度が発生する場合もある（図２（Ｃ）の括弧書き参照）。その場合には、室外熱交換器５の出口における湿り度（（ｅ）点）が、蒸発器７の出口のおける過熱度（（ｇ）点）とバランスするようになる。
【００５１】
制御部１００は、室外熱交換器５に潤滑オイルを滞留するとして予め設定された条件が成立した場合、圧縮機２の回転数に応じて比例弁３４の開度を大きくして室外熱交換器５の出口側まで湿り度を有する冷媒を流すようにして潤滑オイルの循環を確保する。その場合、過熱度制御弁５４が開弁方向に動作して過熱度を戻そうとするが、その感温部が感知するまでのタイムラグがあるため、その湿り度のある冷媒とともに潤滑オイルを導出することが可能になる。同様に、制御部１００は、蒸発器７に潤滑オイルを滞留するとして予め設定された条件が成立した場合、圧縮機２の回転数に応じて比例弁３４の開度を小さくして蒸発器７の出口側まで湿り度を有する冷媒を流すようにして潤滑オイルの循環を確保する。
【００５２】
図２（Ｄ）に示すように、暖房運転時においては開閉弁５０が閉弁される。このため、冷媒は蒸発器７を通過せず、蒸発器７は実質的に機能しなくなる。つまり、室外熱交換器５のみが蒸発器として機能する。すなわち、圧縮機２から吐出された冷媒は、室内凝縮器３、比例弁３４、室外熱交換器５、開閉弁５２、過熱度制御弁５４、アキュムレータ８を経由するように第２冷媒循環通路を循環して圧縮機２に戻る。
【００５３】
すなわち、圧縮機２から吐出された高温・高圧のガス冷媒は、室内凝縮器３を経て凝縮され、比例弁３４にて断熱膨張されて冷温・低圧の気液二相冷媒となり、室外熱交換器５を通過して蒸発される。室外熱交換器５を通過した冷媒は、開閉弁５２、過熱度制御弁５４およびアキュムレータ８を経て圧縮機２に戻る。このとき、比例弁３４が電子膨張弁として機能し、室内凝縮器３の出口の過冷却度を制御する。すなわち、制御部１００は、室内凝縮器３の出口側の温度に基づいて比例弁３４の開度を制御し、室内凝縮器３の出口側の過冷却度が設定値ＳＣとなるよう制御する。
【００５４】
また、車両が極寒の環境下におかれた場合などには、室外熱交換器５が凍結して空調制御の制御性を低下させてしまうことも想定される。このため、制御部１００は、外部情報に基づいて適宜除霜運転を実行する。この除霜運転において、制御部１００は、まずエアミックスドア１４（図１参照）を閉じて室内凝縮器３における熱交換を休止し、冷媒の温度低下を抑制する。このとき、蒸発器７にて熱交換が行われると車室内の温度が低下してしまうので、室内送風機１２の駆動も停止させる。その状態で、図２（Ａ）に示した冷房運転と同様の運転を実行する。
【００５５】
このとき、差圧弁３２が全開状態にあるので、高温のガス冷媒が室外熱交換器５に送られ、除霜を行うことができる。制御部１００は、この除霜運転を蒸発器７が凍結しないレベルで実行する。なお、この場合も蒸発器７の下流側には過熱度制御弁４８が設けられているため、アキュムレータ８に想定以上の過熱ガスが供給されることは防止される。
【００５６】
［第２実施形態］
次に、本発明の第２実施形態について説明する。本実施形態に係る車両用冷暖房装置は、過熱度制御弁や過冷却度制御弁の配置構成が異なるなど冷媒循環通路の構成が第１実施形態と異なるが、各制御弁の構成など共通する部分も有する。このため、第１実施形態とほぼ同様の構成部分については同一の符号を付す等して適宜その説明を省略する。図３は、第２実施形態に係る車両用冷暖房装置の概略構成を表すシステム構成図である。
【００５７】
本実施形態の車両用冷暖房装置２０１は、圧縮機２、室内凝縮器３、第１制御弁ユニット４、室外熱交換器５、第２制御弁ユニット６、蒸発器７およびアキュムレータ８を配管にて接続した冷凍サイクル（冷媒循環回路）を備える。第１実施形態と同様に、室内凝縮器３と室外熱交換器５とが凝縮器として直列に動作可能に構成され、また、蒸発器７と室外熱交換器５とが蒸発器として並列に動作可能に構成されている。冷房運転時（除湿時）に冷媒が循環する第１冷媒循環通路、暖房運転時に冷媒が循環する第２冷媒循環通路、暖房運転中の除湿時に冷媒が循環する第３冷媒循環通路が形成される。
【００５８】
第１冷媒循環通路は、圧縮機２→室内凝縮器３→第１制御弁ユニット４→室外熱交換器５→第２制御弁ユニット６→蒸発器７→アキュムレータ８→圧縮機２のように冷媒が循環する。第２冷媒循環通路は、圧縮機２→室内凝縮器３→第２制御弁ユニット６→室外熱交換器５→第１制御弁ユニット４→アキュムレータ８→圧縮機２のように冷媒が循環する通路である。第３冷媒循環通路は、圧縮機２→室内凝縮器３→第２制御弁ユニット６→蒸発器７→アキュムレータ８→圧縮機２のように冷媒が循環する通路である。室外熱交換器５を流れる冷媒の流れは、第１冷媒循環通路が開放された場合と第２冷媒循環通路が開放された場合とで逆転する。つまり、室外熱交換器５における冷媒の入口と出口は、第１冷媒循環通路が開放された場合と第２冷媒循環通路が開放された場合とで切り替わる。
【００５９】
具体的には、室内凝縮器３の出口につながる第２通路２２が室内凝縮器３寄りの分岐点と室外熱交換器５寄りの分岐点の２箇所においてそれぞれバイパス通路２５、バイパス通路２６に分岐されている。そして、第２通路２２におけるその２箇所の分岐点の間に差圧弁３２が配設されている。バイパス通路２５はその下流側で分岐し、その一方である第１分岐通路２７が蒸発器７につながり、他方である第２分岐通路２８が第３通路２３につながっている。第３通路２３における第１分岐通路２７との合流点と、第２分岐通路２８との合流点との間には、その上流側から過冷却度制御弁４２および差圧弁４４が配設されている。
【００６０】
第１冷媒循環通路は、第１通路２１，第２通路２２，第３通路２３，第４通路２４を接続して構成される。第２冷媒循環通路は、第１通路２１，第２通路２２，バイパス通路２５，第２分岐通路２８，第３通路２３，第２通路２２，バイパス通路２６を接続して構成される。第３冷媒循環通路は、第１通路２１，第２通路２２，バイパス通路２５，第１分岐通路２７，第４通路２４を接続して構成される。そして、このような冷媒循環通路の切り替えを実現するために、室内凝縮器３と室外熱交換器５との接続部に第１制御弁ユニット４が設けられ、室内凝縮器３と室外熱交換器５と蒸発器７との接続部に第２制御弁ユニット６が設けられている。
【００６１】
第１制御弁ユニット４は、共用のボディに差圧弁３２、開閉弁５２および過熱度制御弁５４を含むように構成される。一方、第２制御弁ユニット６は、共用のボディに過冷却度制御弁４２（第１の過冷却度制御弁）、差圧弁４４、過熱度制御弁４８、比例弁２３４および過冷却度制御弁２３１（第２の過冷却度制御弁）を含む。
【００６２】
過冷却度制御弁２３１は、室内凝縮器３からバイパス通路２５を介して導入された冷媒を絞り膨張させて下流側に導出する「膨張装置」として機能するとともに、特定暖房運転時においては室内凝縮器３から蒸発器７および室外熱交換器５へ供給される冷媒の総流量を調整する「総流量弁」としても機能する。なお、図示を省略するが、過冷却度制御弁２３１は、上流側から冷媒を導入する入口ポートと、下流側へ冷媒を導出する出口ポートと、その入口ポートと出口ポートとを連通する弁孔とが設けられたボディと、弁孔に接離して弁開度を調整する弁体と、入口ポートから導入された冷媒の温度と圧力を感知し、室内凝縮器３の出口側の過冷却度が設定値となるよう弁体を開閉駆動する感温部とを備えるものでもよい。
【００６３】
過冷却度制御弁２３１は、室内凝縮器３の出口側の過冷却度が設定値ＳＣよりも大きくなると開弁方向に動作し、室内凝縮器３を流れる冷媒の流量を増加させる。このように冷媒の流量が増加すると、室内凝縮器３における冷媒の単位流量あたりの凝縮能力が小さくなるため、その過冷却度は小さくなる方向に変化する。逆に、室内凝縮器３の出口側の過冷却度が設定値ＳＣよりも小さくなると、過冷却度制御弁２３１は、閉弁方向に動作し、室内凝縮器３を流れる冷媒の流量を減少させる。このように冷媒の流量が減少すると、室内凝縮器３における冷媒の単位流量あたりの凝縮能力が大きくなるため、その過冷却度は大きくなる方向に変化する。このように、過冷却度制御弁２３１は、その入口（室内凝縮器３の出口側）の過冷却度が設定値ＳＣとなるよう自律的に動作する。なお、本実施形態では過冷却度制御弁２３１と過冷却度制御弁４２の過冷却度の設定値を等しくしたが、異なる設定値を設定してもよい。
【００６４】
比例弁２３４は、三方向比例弁として構成され、バイパス通路２５から第１分岐通路２７と第２分岐通路２８とに分岐する分岐点に設けられている。すなわち、比例弁２３４は、第１分岐通路２７の開度を制御する第１比例弁と、第２分岐通路２８の開度を制御する第２比例弁とを含む「複合弁」として構成されている。第１比例弁および第２比例弁の各開度（両比例弁の開度比率）は、制御部１００により制御される。
【００６５】
第１比例弁は、その弁部の開度が制御されることにより第３冷媒循環通路の開度を調整する。第２比例弁は、その弁部の開度が制御されることにより第２冷媒循環通路の開度を調整する。第１比例弁と第２比例弁は、各弁部を構成する弁体が一体に設けられ、一つのアクチュエータにて同時にリニア制御される。それにより、各弁部の開度の比率が制御される。すなわち、特定暖房運転時においては、過冷却度制御弁２３１により蒸発器７および室外熱交換器５へ供給される冷媒の総流量が調整され、その総流量が比例弁２３４によって設定された比率に振り分けられる。つまり、比例弁２３４は、アクチュエータの駆動量に応じて冷媒の流量を振り分ける「振分弁」として機能する。比例弁２３４のアクチュエータはソレノイドであってもよいし、ステッピングモータであってもよい。
【００６６】
制御部１００による制御により、図示のように、過冷却度制御弁２３１の上流側は高圧の上流側圧力Ｐ１となり、比例弁２３４における第１比例弁の下流側は低圧の下流側圧力Ｐ３となる。また、比例弁２３４における第２比例弁の下流側で過冷却度制御弁４２の上流側は中間圧力Ｐ２となる。
【００６７】
次に、本実施形態の冷凍サイクルの動作について説明する。図４は、車両用冷暖房装置の動作を表す説明図である。（Ａ）は冷房運転時の状態を示し、（Ｂ）は除湿運転時の状態を示し、（Ｃ）は特定暖房運転時の状態を示し、（Ｄ）は暖房運転時の状態を示している。各図の上段には冷凍サイクルの動作を説明するモリエル線図が示されている。その横軸がエンタルピーを表し、縦軸が各種圧力を表している。
【００６８】
図４（Ａ）に示すように、冷房運転時においては、第１制御弁ユニット４において差圧弁３２が開弁され、開閉弁５２が閉弁される。差圧弁３２は差圧制御を行わず全開状態とされる。一方、第２制御弁ユニット６においては比例弁２３４の第１比例弁が閉弁され、第２比例弁が全開状態とされる。開閉弁５２の閉弁によりバイパス通路２６が遮断されているため、圧縮機２から吐出冷媒は室外熱交換器５に導かれるようになる。このとき、室外熱交換器５は室外凝縮器として機能する。すなわち、圧縮機２から吐出された冷媒は、室内凝縮器３、差圧弁３２、室外熱交換器５、過冷却度制御弁４２、蒸発器７、過熱度制御弁４８、アキュムレータ８を経由するように第１冷媒循環通路を循環して圧縮機２に戻る。なお、この場合は室内凝縮器３の下流側の圧力が高いため、過冷却度制御弁２３１の弁構造によってはバイパス通路２５を介して冷媒が多少漏れる可能性はあるが、その場合には、その冷媒は、比例弁２３４の第２比例弁および過冷却度制御弁４２を経由して蒸発器７に供給される。
【００６９】
すなわち、圧縮機２から吐出された高温・高圧のガス冷媒は、室内凝縮器３および室外熱交換器５を経ることで凝縮され、過冷却度制御弁４２の上流側に供給される。そして、過冷却度制御弁４２にて断熱膨張され、冷温・低圧の気液二相冷媒となって蒸発器７に導入される。このとき、過冷却度制御弁４２は、室外熱交換器５の出口側（ｅ点）の過冷却度が設定値ＳＣとなるように弁部の開度を自律的に調整する。蒸発器７の入口に導入された冷媒は、その蒸発器７を通過する過程で蒸発し、車室内の空気を冷却する。
【００７０】
図４（Ｂ）に示すように、除湿運転時においては、第１制御弁ユニット４において差圧弁３２が差圧制御を実行する。このため、差圧弁３２の前後差圧が設定差圧ΔＰとなるように制御され。その結果、室内凝縮器３の凝縮圧力（凝縮温度）が、室外熱交換器５の凝縮圧力（凝縮温度）よりも高く維持され、車室内の温度が必要以上に低下することが抑制される。この場合も、過冷却度制御弁４２は、室外熱交換器５の出口側（ｅ点）の過冷却度が設定値ＳＣとなるように弁部の開度を自律的に調整する。
【００７１】
図４（Ｃ）に示すように、特定暖房運転時においては、第１制御弁ユニット４において差圧弁３２が閉弁されて開閉弁５２が開弁される一方、第２制御弁ユニット６において比例弁２３４の開度が制御される。すなわち、比例弁２３４の第１比例弁と第２比例弁の開度比率が調整されることで、蒸発器７および室外熱交換器５に向かう冷媒の流量が振り分けられる。このとき、室外熱交換器５は室外蒸発器として機能する。すなわち、圧縮機２から吐出された冷媒は、一方で室内凝縮器３、過冷却度制御弁２３１、比例弁２３４の第２比例弁、室外熱交換器５、開閉弁５２、過熱度制御弁５４、アキュムレータ８を経由するように第２冷媒循環通路を循環して圧縮機２に戻り、他方で室内凝縮器３、過冷却度制御弁２３１、比例弁２３４の第１比例弁、蒸発器７、過熱度制御弁４８、アキュムレータ８を経由するように第３冷媒循環通路を循環して圧縮機２に戻る。
【００７２】
すなわち、圧縮機２から吐出された高温・高圧のガス冷媒は、室内凝縮器３を経て凝縮され。そして、過冷却度制御弁２３１にて断熱膨張された冷温・低圧の気液二相冷媒が比例弁２３４にて振り分けられる。振り分けられた冷媒の一方は、室外熱交換器５に供給されて蒸発し、他方は蒸発器７に供給されて蒸発する。このとき、室外熱交換器５および蒸発器７の両蒸発器にて蒸発される比率が、比例弁２３４の開度（つまり第１比例弁と第２比例弁の開度の比率）により制御される。それにより、蒸発器７での蒸発量を確保でき、除湿機能を確保することができる。すなわち、比例弁２３４の開度調整により蒸発器７へ供給される冷媒の総流量が調整され、過冷却度制御弁２３１により室内凝縮器３の出口側の過冷却度が設定値ＳＣとなるように調整される。
【００７３】
この特定暖房運転においては除湿運転が良好に行われるが、その除湿制御の概要については以下のとおりである。すなわち、図４（Ｃ）に示すように、過冷却度制御弁２３１により室内凝縮器３の出口における所定の過冷却度ＳＣが維持されることで（ｃ点）、室内凝縮器３における凝縮能力が適正に維持され、室外熱交換器５（室外蒸発器）および蒸発器７（室内蒸発器）のそれぞれにおいて効率の良い熱交換が行われる。このとき、アキュムレータ８によって圧縮機２の入口の冷媒の状態が常に飽和蒸気圧曲線上に保持されるため（ａ点）、蒸発器７の出口の冷媒の状態（ｇ点）は、室外熱交換器５の出口の冷媒の状態（ｄ点）とバランスするように変化する。すなわち、図示のように室外熱交換器５の出口側にて過熱度が発生している場合、蒸発器７の出口における冷媒の湿り度（ｇ点）は、室外熱交換器５の出口における冷媒の過熱度（ｄ点）とバランスする。また、逆に蒸発器７の出口側にて過熱度が発生している場合には、室外熱交換器５の出口における湿り度（（ｄ）点）が蒸発器７の出口のおける過熱度（（ｇ）点）とバランスするようになる。
【００７４】
図４（Ｄ）に示すように、暖房運転時においては比例弁２３４の第１比例弁が閉弁され、第２比例弁が全開状態とされる。このため、冷媒は蒸発器７を通過せず、蒸発器７は実質的に機能しなくなる。つまり、室外熱交換器５のみが蒸発器として機能する。すなわち、圧縮機２から吐出された冷媒は、室内凝縮器３、過冷却度制御弁２３１、比例弁２３４、室外熱交換器５、開閉弁５２、過熱度制御弁５４、アキュムレータ８を経由するように第２冷媒循環通路を循環して圧縮機２に戻る。
【００７５】
すなわち、圧縮機２から吐出された高温・高圧のガス冷媒は、室内凝縮器３を経て凝縮され、過冷却度制御弁２３１にて断熱膨張されて冷温・低圧の気液二相冷媒となり、比例弁２３４の第２比例弁を通過し、室外熱交換器５を通過して蒸発される。室外熱交換器５を通過した冷媒は、開閉弁５２、過熱度制御弁５４およびアキュムレータ８を経て圧縮機２に戻る。すなわち、冷温・低圧の冷媒が蒸発器７にて熱交換されないため、車室内に導入された空気は室内凝縮器３により加熱されるのみとなる。このように、一時的に蒸発器７に低温・低圧の液冷媒が供給されなくなるため、ダクト１０を通過する空気により蒸発器７が温められる。なお、制御部１００は、図４（Ｃ）に示した特定暖房運転時に外部温度等に応じて外部環境が極低温であると判定すると、図４（Ｄ）の暖房運転に適宜切り替えることにより、蒸発器７が凍結するのを防止または抑制する。
【００７６】
以上、本発明の好適な実施形態について説明したが、本発明はその特定の実施形態に限定されるものではなく、本発明の技術思想の範囲内で種々の変形が可能であることはいうまでもない。
【００７７】
上記実施形態では、本発明の車両用冷暖房装置を電気自動車に適用した例を示したが、内燃機関を搭載した自動車や、内燃機関と電動機を同載したハイブリッド式の自動車に提供することが可能であることは言うまでもない。上記実施形態では、圧縮機２として電動圧縮機を採用した例を示したが、エンジンの回転を利用して容量可変を行う可変容量圧縮機を採用することもできる。
【００７８】
上記実施形態においては、補助凝縮器として室内凝縮器を設ける例を示した。変形例においては、補助凝縮器を室外熱交換器とは別に設けられる熱交換器として構成してもよい。その熱交換器は、例えば車室外に配置され、エンジンの冷却水を利用して熱交換を行うものでもよい。具体的には、図１における圧縮機２と第２制御弁ユニット６との間に熱交換器を設ける一方、ダクト１０内に放熱器を配置し、これら熱交換器と放熱器とを冷却水の循環回路にて接続してもよい。その循環回路には冷却水を汲み上げるポンプを設けてもよい。このようにすれば、圧縮機２から第２制御弁ユニット６へ向かう高温の冷媒と、循環回路を循環する冷却水との間で熱交換を行うことができる。このような構成においても、圧縮機２から吐出された冷媒を熱交換器により凝縮させて第２制御弁ユニット６に供給することが可能となる。
【００７９】
第１実施形態においては除霜運転の一例を挙げたが、変形例として、除霜運転時にホットガスを室外熱交換器５に流す専用の通路および制御弁を設けてもよい。図５は、変形例に係る車両用冷暖房装置の概略構成を表すシステム構成図である。なお、同図において第１実施形態とほぼ同様の構成部分については同一の符号を付している。
【００８０】
本変形例では、圧縮機２の吐出口と室外熱交換器５の入口とをつなぐ除霜用バイパス通路３２２と、その除霜用バイパス通路３２２を開閉する開閉弁３５が設けられている。開閉弁３５は、ソレノイドやステッピングモータ等のアクチュエータにより開閉駆動されるオン・オフ弁として構成される。制御部１００は、常時は開閉弁３５を閉弁状態とし、除霜運転時においてこれを開弁させる。すなわち、除霜運転時においては、図示のようにエアミックスドア１４を閉じるとともに開閉弁３５を開弁し、圧縮機２から吐出された高温のホットガスを除霜用バイパス通路３２２を介して室外熱交換器５に直接供給する。これにより除霜がなされ、室外熱交換器５の凍結を防止することができる。
【００８１】
第１実施形態では、室外熱交換器５とアキュムレータ８とをつなぐバイパス通路２６に開閉弁５２および過熱度制御弁５４を設ける構成を示したが、これらの２つの制御弁に代えて差圧弁を設け、過熱度制御弁５４と同様の機能を実現してもよい。図６は、変形例に係る車両用冷暖房装置の概略構成を表すシステム構成図である。なお、同図において第１実施形態とほぼ同様の構成部分については同一の符号を付している。
【００８２】
本変形例においては、バイパス通路２６に差圧弁５５が設けられている。差圧弁５５は、その前後差圧（室外熱交換器５の出口側圧力とアキュムレータ８の入口側圧力との差圧）が供給電流値に応じた設定差圧となるよう自律的に動作する定差圧弁である。差圧弁５５の弁部を駆動するアクチュエータにはソレノイドを用いてもよいし、ステッピングモータ等の電動機を用いてもよい。そして、室外熱交換器５の出口側に過熱度が発生している場合には、制御部１００が、その過熱度が設定過熱度ＳＨとなるように設定差圧を調整するようにしてもよい。
【００８３】
なお、第２実施形態についても同様に、図３に示した開閉弁５２および過熱度制御弁５４にかえて差圧弁５５を設けてもよい。そして、室外熱交換器５の出口側に過熱度が発生している場合には、制御部１００が、その過熱度が設定過熱度ＳＨとなるように設定差圧を調整するようにしてもよい。
【符号の説明】
【００８４】
１  車両用冷暖房装置、  ２  圧縮機、  ３  室内凝縮器、  ５  室外熱交換器、  ７  蒸発器、  ８  アキュムレータ、  ２５，２６  バイパス通路、  ３２  差圧弁、  ３４  比例弁、  ４２  過冷却度制御弁、  ４８  過熱度制御弁、  ５０，５２  開閉弁、  ５４  過熱度制御弁、  １００  制御部、  ２０１  車両用冷暖房装置、  ２３１  過冷却度制御弁、  ２３４  比例弁。
【図１】
2012030603.tif 000003
【図２】
2012030603.tif 000004
【図３】
2012030603.tif 000005
【図４】
2012030603.tif 000006
【図５】
2012030603.tif 000007
【図６】
2012030603.tif 000008